(57)【要約】【課題】従来のプロジェクタでは、蓋の着脱に連動させてインレット用開口を開閉する機構に多くの部品を必要とし、構造が複雑であった。【解決手段】プロジェクタ装置１は、筐体Ｋの後壁に並んで開口するランプ交換口１３及びコネクタ接続口１４と、各開口１３，１４と並んで底壁に開口する蓋挿通口３１と、蓋挿通口３１の内側及び外側に後壁に沿ってスライドする開閉蓋４と、筐体Ｋの上記各開口１３，１４，３１の両側に配置されて、各開口１３，１４，３１の配列方向に延びた一対のガイド部材３２とを備えている。開閉蓋４は、コネクタ接続口１４を外部に臨ませるためのコネクタ取付口４５を有している。開閉蓋４は、ランプ交換口１３を遮蔽すると共に、コネクタ取付口４５でコネクタ接続口１４を開放する位置と、コネクタ接続口１４を遮蔽すると共にランプ交換口１３を開放する位置との間をスライドする。【選択図】  図５
2009098191.tif 000002
【特許請求の範囲】
【請求項１】
筐体の壁面に開口するランプ交換口と、
前記ランプ交換口と並んで前記壁面に開口するコネクタ接続口と、
前記ランプ交換口及び前記コネクタ接続口の一方を開放すると共に他方を遮蔽する開閉蓋とを備えることを特徴とするプロジェクタ。
【請求項２】
前記開閉蓋は、前記ランプ交換口及び前記コネクタ接続口の一方を開放すると共に他方を遮蔽する一方の移動限と、前記ランプ交換口及び前記コネクタ接続口の前記他方を開放すると共に前記一方を遮蔽する他方の移動限との間で、前記壁面に沿って移動することを特徴とする請求項１に記載のプロジェクタ。
【請求項３】
前記開閉蓋は、前記ランプ交換口を遮蔽すると共に、前記開口で前記コネクタ接続口を開放する位置までスライドすると、前記筐体が備える挿通孔の周縁に係止して前記開閉蓋のスライドを規制する第１の規制部材を備えることを特徴とする請求項１又は請求項２に記載のプロジェクタ。
【請求項４】
前記開閉蓋は、前記コネクタ接続口を遮蔽すると共に前記ランプ交換口を開放する位置までスライドすると、前記筐体が備える被係止部に係止して前記開閉蓋のスライドを規制する第２の規制部材を備えることを特徴とする請求項１から請求項３の何れかに記載のプロジェクタ。
【発明の詳細な説明】
【技術分野】
【０００１】
本発明は、筐体の壁面にランプ交換口を開口させたプロジェクタに関する。
【背景技術】
【０００２】
従来、プロジェクタ装置では、ランプ交換用のキャビネットが備えるドアの取り外しに電気的検出スイッチを連動させて電気回路を遮断したり、コネクタ接続口を遮蔽する等して、ランプ交換時の安全対策を施していた。
【０００３】
例えば、下記の特許文献１に記載の液晶プロジェクタでは、投影用ランプの交換に用いられる開口を蓋した状態では、コイルバネの付勢力で上方に移動した摺動板が、インレット用開口を開放しており、電源コネクタをインレットに装着することができる。電源コネクタのインレット装着時には、摺動板の下端が電源コネクタに当たり、ツマミの操作で摺動板を押し下げられない。このため、蓋が備える第２の突起部と蓋の側板との間に収納された摺動板の蓋ロック部が、第２の突起部の移動を遮り、蓋を外すことができない。一方、電源コネクタの非装着時には、ツマミの操作で摺動板を押し下げることができ、第２の突起部の移動を蓋ロック部に遮られずに、蓋を外すことができる。このとき、インレット用開口は、押し下げられた摺動板に塞がれている。
【０００４】
蓋を外してツマミを離すと、筐体に軸支されたシーソー板の爪部に摺動板の上方への移動がロックされ、インレット用開口を開いて電源コネクタを装着できない。蓋を装着すると、第２の突起部が蓋ロック部を押し下げた後、蓋が備える第１の突起部が摺動板から爪部を外し、爪部によるロックが解除される。これにより、摺動板がコイルバネの付勢力で上方に移動し、蓋ロック部が第２の突起部と蓋の側板との間に収納され、蓋がロックされる。
【０００５】
【特許文献１】特開平１１−２０２４０７号公報
【発明の開示】
【発明が解決しようとする課題】
【０００６】
上記従来の液晶プロジェクタでは、蓋の着脱動作に連動させて摺動板によるインレット用開口の開閉を行う機構に多くの部品を必要とし、構造が複雑であることから、製造コストが高かった。
【０００７】
本発明は斯かる課題に鑑みてなされたもので、上記課題を解決できるプロジェクタを提供することを目的とする。
【課題を解決するための手段】
【０００８】
このような目的を達成するために、本発明は、筐体の壁面に開口するランプ交換口と、前記ランプ交換口と並んで前記壁面に開口するコネクタ接続口と、前記ランプ交換口及び前記コネクタ接続口の一方を開放すると共に他方を遮蔽する開閉蓋とを備えることを特徴とする。
また、本発明は、前記開閉蓋が、前記ランプ交換口及び前記コネクタ接続口の一方を開放すると共に他方を遮蔽する一方の移動限と、前記ランプ交換口及び前記コネクタ接続口の前記他方を開放すると共に前記一方を遮蔽する他方の移動限との間で、前記壁面に沿って移動することを特徴とする。
また、本発明は、前記開閉蓋が、前記ランプ交換口を遮蔽すると共に、前記開口で前記コネクタ接続口を開放する位置までスライドすると、前記筐体が備える挿通孔の周縁に係止して前記開閉蓋のスライドを規制する第１の規制部材を備えることを特徴とする。
また、本発明は、前記開閉蓋が、前記コネクタ接続口を遮蔽すると共に前記ランプ交換口を開放する位置までスライドすると、前記筐体が備える被係止部に係止して前記開閉蓋のスライドを規制する第２の規制部材を備えることを特徴とする。
【発明の効果】
【０００９】
本発明によれば、開閉蓋をスライドさせてランプ交換口及びコネクタ接続口の何れかを開放させて他方を遮蔽することから、簡易な構成でランプ交換の作業の安全性を高めることができる。
【発明を実施するための最良の形態】
【００１０】
以下、図面を参照して、本発明の最良の形態を説明する。
図１は、本実施形態の液晶プロジェクタ装置１を示す図であり、（ａ）は前方から，（ｂ）は後方からの斜視図である。なお、以下の説明で用いる前後，左右，上下の各方向は説明に用いる各図に示している。この前後，左右，上下は説明のために記載したもので、実際の配置と異なってよいことはもちろんである。
【００１１】
図１に示すように、液晶プロジェクタ装置１の筐体Ｋは、上下の一対の筐体カバーＫ１，Ｋ２を組み合わせて構成されて、略四角箱状の外観形状を有している。筐体Ｋの前面には、投影レンズ１１が取り付けられている。また、筐体Ｋの後面には、外部機器との接続に用いる複数の端子１２と、ランプ交換口１３と、コネクタ接続口１４とが設けられている。
【００１２】
ランプ交換口１３は、投影用ランプ１５（図５（ｂ）参照）を筐体Ｋの外部に臨ませるための開口であり、略矩形の開口形状を有している。ランプの交換作業は、ランプ交換口１３を通して行われる。
【００１３】
コネクタ接続口１４は、ＡＣケーブル２の備える雌コネクタ（ＡＣケーブル）２１と接続される雄コネクタ（端子部）１６（図２（ａ），図３参照）を外部に臨ませるための開口であり、略矩形の開口形状を有している。ＡＣケーブル２の備える雌コネクタ（ＡＣケーブル）２１は、コネクタ接続口１４を通して筐体Ｋ内の雄コネクタ（端子部）１６に接続される。ランプ交換口１３とコネクタ接続口１４とは、ランプ交換口１３を上側、コネクタ接続口１４を下側に位置させて、筐体Ｋの上下方向に並んで開口している。
【００１４】
図２は、図１に示す液晶プロジェクタ装置１の筐体カバーＫ２を示す図であり、（ａ）は前方から，（ｂ）は後方からの斜視図である。図３は、図２の矢印Ａで示す範囲を拡大して示す斜視図である。
【００１５】
筐体カバーＫ２は、筐体Ｋの略下半分側を構成する略四角蓋状を呈しているが、筐体Ｋの後面のほぼ全面を構成する後壁部は、上端の高さをほぼ等しくしている前壁部及び左右の両側壁部よりも上方に上端を位置させている。
【００１６】
図３に示すように、筐体カバーＫ２の底壁部には、ランプ交換口１３及びコネクタ接続口１４の下方に位置して、後述する開閉蓋４の蓋挿通口３１が形成されている。蓋挿通口３１は、筐体カバーＫ２の後壁部の内面の下縁部に沿って形成されており、後述する開閉蓋４の厚さよりもやや長い幅を有して、ランプ交換口１３の左右の縁部の形成位置よりも側方まで延びている。蓋挿通口３１の周縁部は、上方に向けて四角ブロック状に膨出している。
【００１７】
ランプ交換口１３及びコネクタ接続口１４の両側には、一対のガイド部材３２が配置されている。ガイド部材３２は、筐体カバーＫ２の底壁部の上面から、ランプ交換口１３及びコネクタ接続口１４の配列方向に沿って、上方に向けて延びている。ガイド部材３２の上端部は、ランプ交換口１３の上縁部よりもやや下方に位置している。ガイド部材３２は、筐体カバーＫ２の後壁部と主面を対面させた横辺部３２ａと、ランプ交換口１３及びコネクタ接続口１４側の横辺部３２ａの縁部から前方に向けて延びた縦辺部３２ｂと備えて構成されている。縦辺部３２ｂの形成された縁部と反対側に位置する横辺部３２ａの縁部の下端部には、移動規制片３２ｃ（被係止部）が設けられている。
【００１８】
移動規制片３２ｃは、横辺部３２ａの縁部から前後方向に延びており、横辺部３２ａの下端部とで略Ｔ字の断面形状を呈している。移動規制片３２ｃの後端部は、筐体カバーＫ２の後壁部の内面まで延びている。移動規制片３２ｃは、筐体カバーＫ２の底壁部の上面から上方に延びている。また、コネクタ接続口１４の前方には、その接続面を蓋挿通口３１の前側面よりやや前方に位置させて雄コネクタ（端子部）１６が備えられている。雄コネクタ（端子部）１６は、左右の両側部に設けられた貫通孔１６ａを通して、筐体カバーＫ２の底壁部が備える図示しない取付片に螺子止めされている。
【００１９】
図４は、ランプ交換口１３及びコネクタ接続口１４を開閉する開閉蓋４の前方からの斜視図である。開閉蓋４は、略矩形の平板状を呈しており、上端部の左右の両側に一対の係止片４１（第２の規制部材）が設けられている。係止片４１は、開閉蓋４にその上縁から下方に延びるスリット４ａを設けることにより構成されており、上端部には左右の側方に延びる係止突部４１ａ（第２の規制部材）が設けられている。係止突部４１ａは、下端面が開閉蓋４の下縁部と平行に延びており、上端面が左右の幅方向の中央部から外方にかけてを下降傾斜させている。
【００２０】
開閉蓋４の下端部には、移動規制部４２（第１の規制部材）が設けられている。移動規制部４２は、開閉蓋４の下端部を前後及び左右の側方向に向けて四角ブロック状に膨出させた概略形状を有している。移動規制部４２の左右の幅方向の中央部には、移動規制部４２の前後の側面を側方に向けて膨出させて構成された把持部４３が形成されている。また、把持部４３の左側に位置する移動規制部４２の前側面からは、四角板状の固定片４４が後方に延びている。固定片４４には、その上面から下面にかけてを貫通する貫通孔４４ａが設けられている。貫通孔４４ａは、開閉蓋４を筐体カバーＫ２の底壁部に外側から螺子止めするネジの挿通孔である。図示しないが、筐体カバーＫ２の底壁部には、蓋挿通口３１を挿通されたネジの螺着されるネジ孔が設けられている。
【００２１】
また、開閉蓋４の下端部の上下方向の中央部寄りには、開閉蓋４の前面から後面にかけてを貫通するコネクタ取付口４５が形成されている。コネクタ取付口４５は、コネクタ接続口１４とほぼ等しい大きさの矩形状を呈しており、開閉蓋４の左右の幅方向の中央部に開口している。
【００２２】
開閉蓋４は、筐体カバーＫ２の底壁部の下方から蓋挿通口３１に挿通されて、図２及び図３に示すように筐体カバーＫ２に取り付けられている。筐体カバーＫ２に取り付けられた開閉蓋４は、左右の両縁部をガイド部材３２の横辺部３２ａと筐体カバーＫ２の後壁部との間に位置させ、係止片４１を備える上端側を蓋挿通口３１の上方に位置させると共に、移動規制部４２を備える下端側を蓋挿通口３１の下方に位置させている。また、開閉蓋４は、係止片４１と移動規制部４２との間に位置する左右の両側面を移動規制片３２ｃに支持されて左右方向の位置決めがなされ、横辺部３２ａ及び筐体カバーＫ２の後壁部に左右の両縁部の前後面を支持されて前後方向の位置決めがなされて、ガイド部材３２の延設方向に沿った上下方向にスライド自在となっている。
【００２３】
次に、液晶プロジェクタ装置１でのランプの交換作業について説明する。図５は、開閉蓋４の動作とランプの交換作業との関係を説明する液晶プロジェクタ装置１の後方からの斜視図であり、（ａ）はコネクタ接続口１４の開放状態，（ｂ）はランプ交換口１３の開放状態を示している。液晶プロジェクタ装置１は、通常は、図５（ａ）に示すように開閉蓋４でランプ交換口１３を遮蔽し、開閉蓋４のコネクタ取付口４５を筐体カバーＫ２のコネクタ接続口１４と重ならせてコネクタ接続口１４を開放している。このため、筐体Ｋの内部の投影用ランプ１５（図５（ｂ）参照）は、筐体Ｋの外部と隔てられている。また、筐体Ｋに内蔵された雄コネクタ（端子部）１６が、コネクタ接続口１４から筐体Ｋの外方に接続部を臨ませており、ＡＣケーブル２の雌コネクタ（ＡＣケーブル）２１をコネクタ接続口１４を通して雄コネクタ（端子部）１６に接続できる状態となっている。
【００２４】
この状態では、筐体カバーＫ２の底壁部の外側の蓋挿通口３１の周縁部に移動規制部４２を係止し、また、固定片４４の上面を底壁部の下面に当接させることにより、開閉蓋４が上方への移動するのを規制している。また、図示しないが、固定片４４の貫通孔を通したネジが、筐体カバーＫ２の底壁部のネジ孔にネジ止めされ、筐体カバーＫ２に対して開閉蓋４が固定されている。
【００２５】
このような状態で、筐体Ｋに内蔵されたランプを交換する場合には、まず、ＡＣケーブル２の雌コネクタ（ＡＣケーブル）２１を雄コネクタ（端子部）１６から取り外し、筐体カバーＫ２の後壁部に沿った開閉蓋４の移動を雌コネクタ（ＡＣケーブル）２１が阻害しないようにする。次に、筐体カバーＫ２の底壁部に開閉蓋４の固定片４４を固定している図示しないネジを、筐体カバーＫ２の底壁部から取り外す。この操作により、筐体カバーＫ２の下方への開閉蓋４の移動規制が解かれて、開閉蓋４を下方に移動させられるようになる。
【００２６】
次に、開閉蓋４の下端部にある把持部４３を把持して、開閉蓋４を下方に向けて引き下ろす。この操作により、開閉蓋４が両側をガイド部材３２及び移動規制片３２ｃにガイドされて筐体カバーＫ２の下方に移動する。この開閉蓋４の移動に伴い、コネクタ取付口４５も下方に移動し、コネクタ接続口１４が上端側から下端側にかけて徐々に開閉蓋４で塞がれていく。また、ランプ交換口１３が、上端側から下端側にかけて徐々に外部を臨み、投影用ランプ１５（図５（ｂ）参照）が筐体Ｋの外部に露出される。
【００２７】
図３に示すように、開閉蓋４の係止片４１がガイド部材３２の移動規制片３２ｃの上面に係止突部４１ａの下面を当接させて、それより下方への移動を規制されるまで開閉蓋４が筐体カバーＫ２の下方に移動すると、開閉蓋４の上縁がランプ交換口１３の下縁とほぼ等しい高さ、又は、ランプ交換口１３の下縁よりも低い高さに位置し、図５（ｂ）に示すように、ランプ交換口１３が全面に亘って開放される。また、コネクタ取付口４５の上方に位置する開閉蓋４によりコネクタ接続口１４が塞がれて、コネクタ接続口１４が全面に亘って遮蔽される。
【００２８】
この状態で、ランプ交換口１３から筐体Ｋ内に手や工具を挿入して、ランプの交換作業が行われる。コネクタ接続口１４が開閉蓋４により遮蔽されていることから、ランプの交換作業中には、ＡＣケーブル２の雌コネクタ（ＡＣケーブル）２１を、コネクタ接続口１４から雄コネクタ（端子部）１６に接続することができない。
【００２９】
ランプの交換作業の終了後には、開閉蓋４の把持部４３を把持して開閉蓋４を上方に押し上げ、開閉蓋４を上方に移動させる。ガイド部材３２及び移動規制片３２ｃにガイドされて開閉蓋４が移動するのに伴い、コネクタ取付口４５も上方に移動し、コネクタ接続口１４が下端側から上端側にかけて徐々に開口していく。また、ランプ交換口１３が下端側から上端側にかけて徐々に開閉蓋４で塞がれていく。
【００３０】
図５（ａ）に示すように、開閉蓋４の移動規制部４２が、筐体カバーＫ２の底壁部の下側の蓋挿通口３１の周縁部に当接し、また、固定片４４の上面が筐体カバーＫ２の底壁部の下面に当接して、上方への移動が規制されるまで開閉蓋４が筐体カバーＫ２の上方に移動すると、開閉蓋４の上縁がランプ交換口１３の上縁とほぼ等しい高さ、又は、ランプ交換口１３の上縁よりも高い高さに位置し、ランプ交換口１３が全面に亘って遮蔽される。また、コネクタ取付口４５が筐体カバーＫ２のコネクタ接続口１４と重なってコネクタ接続口１４が開放され、雄コネクタ（端子部）１６が接続面を外部に臨ませている。このため、コネクタ取付口４５を通して、コネクタ接続口１４から雄コネクタ（端子部）１６にＡＣケーブル２の雌コネクタ（ＡＣケーブル）２１を接続することができる。
【００３１】
本実施形態によれば、ＡＣケーブル２を雄コネクタ（端子部）１６から外さないとランプ交換口１３を開いてランプ交換を行うことができず、また、ランプ交換口１３を開いている間は、開閉蓋４がコネクタ接続口１４を常に塞いでいて、雄コネクタ（端子部）１６にＡＣケーブル２を繋げないことから、ランプの交換作業の安全性を高めることができる。しかも、開閉蓋４をスライド動作させて、ランプ交換口１３及びコネクタ接続口１４の何れか一方を開放し、他方を遮蔽することから、電気的検出スイッチを使って電気回路を遮断する場合や、ランプ交換口１３の開閉蓋に連動させてコネクタ接続口１４を開閉する機構を設ける場合に比べ、構成を簡略化することができる。従って、簡易な構成で、ランプ交換の作業の安全性を高めることができる。この結果、部品点数を削減して、製造コストを低減することができる。
【００３２】
また、本実施形態によれば、開閉蓋４のスライド動作により電源の接続を不可能にするため、電気的検出スイッチを用いる場合のように誤作動がなく、安全性を向上させることができる。しかも、開閉蓋４を筐体カバーＫ２の後壁部に沿って移動させるという簡単な操作で、ランプ交換口１３及びコネクタ接続口１４の開閉を行うことができる。この結果、ランプ交換作業を簡略化することもできる。
【００３３】
上記実施形態の説明では、ランプ交換口１３を遮蔽した開閉蓋４が、コネクタ取付口４５からコネクタ接続口１４を通して、雄コネクタ（端子部）１６を外部に臨ませた場合について説明した。しかしながら、図６に示すように、コネクタ取付口を備えない平板状の開閉蓋４０が、上下動のみによってコネクタ接続口１４及びランプ交換口１３の何れか一方を開放する構成としてもよい。同図に示す例では、コネクタ接続口１４を開放すると共にランプ交換口１３を塞ぐ同図（ａ）に示す位置と、コネクタ接続口１４を塞ぐと共にランプ交換口１３を開放する同図（ｂ）に示す位置との間で、開閉蓋４０がスライドする。また、コネクタ取付口４５の左右の両側を開閉蓋４の下縁部まで延ばした形状の切欠を設け、この切欠部分でコネクタ接続口１４を開放させる構成としてもよい。
【００３４】
また、上記実施形態の説明では、開閉蓋４が筐体カバーＫ２の後壁部の内面に沿って上下方向に直線状に移動して、ランプ交換口１３やコネクタ接続口１４の開閉を行った場合について説明したが、開閉蓋によるランプ交換口１３やコネクタ接続口１４の開閉方法は、上記実施形態での方法には限定されない。例えば、筐体Ｋの後壁部に軸支された開閉蓋が、後壁部の内面に沿って回動動作を行い、ランプ交換口１３やコネクタ接続口１４を開閉する構成としてもよい。
【００３５】
また、上記実施形態の説明では、移動規制片３２ｃにより開閉蓋４の左右方向の位置決めを行い、横辺部３２ａ及び筐体カバーＫ２の後壁部により開閉蓋４の前後方向の位置決めを行った場合について説明したが、開閉蓋４の前後，左右の各方向の位置決め方法は任意である。また、開閉蓋４の下方への移動規制を行う構成、開閉蓋４の上方への移動規制を行う構成、ランプ交換口１３を遮蔽した開閉蓋４の筐体カバーＫ２への固定方法も任意である。
【図面の簡単な説明】
【００３６】
【図１】本発明の一実施形態の液晶プロジェクタ装置を示す図であり、（ａ）は前方から，（ｂ）は後方からの斜視図である。
【図２】図１に示す液晶プロジェクタ装置の筐体カバーの図であり、（ａ）は前方から，（ａ）は後方からの斜視図である。
【図３】図２の矢印Ａで示す範囲を拡大して示す斜視図である。
【図４】ランプ交換口及びコネクタ接続口を開閉する開閉蓋の前方からの斜視図である。
【図５】開閉蓋の動作とランプの交換作業との関係を説明する液晶プロジェクタ装置の後方からの斜視図であり、（ａ）はコネクタ接続口の開放状態，（ｂ）はランプ交換口の開放状態を示している。
【図６】開閉蓋の変形例を示す図であり、（ａ）はコネクタ接続口の開放状態，（ｂ）はランプ交換口の開放状態を示している。
【符号の説明】
【００３７】
Ｋ          筐体
Ｋ１，Ｋ２  筐体カバー
１          液晶プロジェクタ装置
１１        投影レンズ
１３        ランプ交換口
１４        コネクタ接続口
１５        投影用ランプ
１６        雄コネクタ（端子部）
２          ＡＣケーブル
２１        雌コネクタ（ＡＣケーブル）
３１        挿通口
３２        ガイド部材
３２ａ      横辺部
３２ｂ      縦辺部
３２ｃ      移動規制片（被係止部）
４，４０    開閉蓋
４１        係止片（第２の規制部材）
４１ａ      係止突部（第２の規制部材）
４２        移動規制部（第１の規制部材）
４３        把持部
４４        固定片
４５        コネクタ取付口
【図１】
2009098191.tif 000003
【図２】
2009098191.tif 000004
【図３】
2009098191.tif 000005
【図４】
2009098191.tif 000006
【図５】
2009098191.tif 000007
【図６】
2009098191.tif 000008